(57)【要約】【課題】外装部材を主に金属で構成した場合であっても、装置全体の小型化とアンテナの通信性能を確保できる通信装置を提供する。【解決手段】通信装置は、金属の第１外装部材と、第１外装部材に囲まれる位置に配置される第２外装部材と、第２外装部材の内面に配置されるアンテナと、を備える。そして、第２外装部材は、開口を有する樹脂枠と、開口に設けられる樹脂ドアと、を有し、樹脂ドアは回動軸を有し、第１外装部材は、回動軸の抜け止めをする抜け止め部を有し、アンテナは、抜け止め部より外側に配置される。【選択図】図８
2015100102.tif 000002
【特許請求の範囲】
【請求項１】
金属の第１外装部材と、
前記第１外装部材に囲まれる位置に配置される第２外装部材と、
前記第２外装部材の内面に配置されるアンテナと、
を備え、
前記第２外装部材は、開口を有する樹脂枠と、前記開口に設けられる樹脂ドアと、を有し、
前記樹脂ドアは回動軸を有し、
前記第１外装部材は、前記回動軸の抜け止めをする抜け止め部を有し、
前記アンテナは、前記抜け止め部より外側に配置される、
通信装置。
【請求項２】
前記アンテナは、前記第２外装部材の前記樹脂ドアが配置される領域とは異なる位置に配置される、
請求項１に記載の通信装置。
【請求項３】
前記第１外装部材は、前記通信装置の正面から側面に第１曲面を有し、かつ、前記通信装置の背面から側面に第１曲面より曲率が大きい第２曲面を有し、
前記第２外装部材は、内面に前記アンテナを設ける平面部を備える、
請求項１又は請求項２に記載の通信装置。
【請求項４】
前記第２外装部材は、正面側の内面に平面部を備えるとともに、背面側の内面に前記平面部に隣接する曲面部を備え、
前記アンテナは、前記平面部及び前記曲面部に設置される、
請求項１又は請求項２に記載の通信装置。
【請求項５】
前記アンテナは、前記樹脂ドアの内面に配置される、
請求項１に記載の通信装置。
【発明の詳細な説明】
【技術分野】
【０００１】
本開示は、アンテナを備える通信装置に関する。
【背景技術】
【０００２】
特許文献１は、アンテナを備える無線通信装置を開示する。特許文献１では、アンテナ３４０が樹脂の蓋部材３の内部に配置されている。
【先行技術文献】
【特許文献】
【０００３】
【特許文献１】特開２００５−６５０９０号公報
【発明の概要】
【発明が解決しようとする課題】
【０００４】
本開示は、外装部材を主に金属で構成した場合であっても、装置全体の小型化とアンテナの通信性能を確保できる通信装置を提供する。
【課題を解決するための手段】
【０００５】
本開示における通信装置は、金属の第１外装部材と、第１外装部材に囲まれる位置に配置される第２外装部材と、第２外装部材の内面に配置されるアンテナと、を備える。そして、第２外装部材は、開口を有する樹脂枠と、開口に設けられる樹脂ドアと、を有し、樹脂ドアは回動軸を有し、第１外装部材は、回動軸の抜け止めをする抜け止め部を有し、アンテナは、抜け止め部より外側に配置される。
【発明の効果】
【０００６】
本開示における通信装置は、外装部材を主に金属で構成した場合であっても、装置全体の小型化とアンテナの通信性能を確保できる。
【図面の簡単な説明】
【０００７】
【図１】実施の形態１におけるデジタルカメラの斜視図
【図２】実施の形態１におけるデジタルカメラの一部展開斜視図
【図３】実施の形態１におけるデジタルカメラの一部展開斜視図
【図４】実施の形態１におけるバッテリーユニットの展開斜視図
【図５】実施の形態１におけるバッテリーユニットの展開斜視図
【図６】実施の形態１におけるデジタルカメラの左側面図
【図７】実施の形態１におけるデジタルカメラの断面図
【図８】図７のＡ部拡大図
【図９】実施の形態１におけるデジタルカメラの部分背面図
【図１０】図９の１０−１０断面図
【図１１】実施の形態２におけるデジタルカメラの斜視図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面及び以下の説明を提供するのであって、これらによって特許請求の範囲に記載の主題を限定することを意図するものではない。
【００１０】
（実施の形態１）
［１−１．デジタルカメラの構成］
図１は、無線通信機能を備えたデジタルカメラの外観図である。無線通信機能を備えたデジタルカメラは通信装置の一例である。
【００１１】
デジタルカメラは、フロントユニット１００、バッテリーユニット２００、リアユニット３００、トップユニット４００から構成される。
【００１２】
フロントユニット１００は、外観の向上のため、金属材料で構成されるフロントケース１０１を有する。金属材料は、例えば、マグネシウム合金である。フロントユニット１００のフロントケース１０１は、外観向上のため、前面から側面に向けて、フロント曲面１０１ｒを構成している。
【００１３】
バッテリーユニット２００は、枠としての樹脂ケース２０１、樹脂ドア２０３を備える。樹脂ケース２０１は樹脂ドア２０３の上部に側壁２０１ｉを有する。側壁２０１ｉの内側にはアンテナが配置される。バッテリーユニット２００は、アンテナの性能を確保するため、主に樹脂材料からなる部材で構成される。アンテナについては後述する。
【００１４】
樹脂ケース２０１には、端子口２０１ｇ及び端子口２０１ｈが形成されている。端子口２０１ｇ、２０１ｈには、ＵＳＢ端子、ＨＤＭＩ（登録商標）端子などが配置される。
【００１５】
リアユニット３００は、外観の向上のため、金属材料で構成されるリアケース３０１を有する。金属材料は、例えば、マグネシウム合金である。リアユニット３００のリアケース３０１は、外観向上のため、背面から側面に向けて、リア曲面３０１ｒを構成している。リアユニット３００のリア曲面３０１ｒは、フロントユニット１００のフロント曲面１０１ｒよりも曲率が大きい。リアユニット３００側の曲率を大きくすることにより、モニタや操作部材を配置するスペースを確保することができる。そして、本実施の形態のデジタルカメラは、フロント曲面１０１ｒの曲率を小さくして外観を向上させ、リア曲面３０１ｒの曲率を大きくすることによりスペースを確保して、全体として小型化を実現している。
【００１６】
トップユニット４００は、外観向上のため、金属材料で構成されるトップケース４０１を有している。金属材料は、例えば、アルミ合金である。
【００１７】
ここで、フロントケース１０１、樹脂ケース２０１、樹脂ドア２０３、リアケース３０１及びトップケース４０１は、それぞれ外装部材の一例である。
【００１８】
［１−２．フレキアンテナの配置］
次に、無線通信機能を備えるデジタルカメラのアンテナの配置について説明する。図２及び図３は、デジタルカメラの一部展開斜視図である。また、図４及び図５は、バッテリーユニット２００の展開斜視図である。
【００１９】
図２及び図３に示すように、無線通信を行うアンテナであるフレキアンテナ２０２は、樹脂ケース２０１の側壁２０１ｉの内側に配置される。フレキアンテナ２０２は柔軟性を有するフレキシブルな材料で構成される。
【００２０】
また、フロントユニット１００のフロントケース１０１には、図２及び図３に示すように、デジタルカメラの左側面に、リブ１０１ａが正面側から背面側に突出するように形成されている。リブ１０１ａは、図４及び図５に示す樹脂ドア２０３の回動軸となる金属シャフト２０４の抜け止めに用いられる。
【００２１】
図３に示すように、フロントユニット１００のフロントケース１０１は、デジタルカメラの左側面において、背面側に開口したフロントＵ字状開口部１０１ｃを有する。フロントＵ字状開口部１０１ｃは、フロント左側面上端部１０１ｄ、フロント左側面前端部１０１ｅ、フロント左側面下端部１０１ｇを有する。同様に、リアユニット３００のリアケース３０１は、デジタルカメラの左側面において、正面側に開口したリアＵ字状開口部３０１ｃを有する。リアＵ字状開口部３０１ｃは、リア左側面上端部３０１ｄ、リア左側面後端部３０１ｆ、リア左側面下端部３０１ｇを有する。
【００２２】
フロントケース１０１とリアケース３０１が組み合わされると、フロントＵ字状開口部１０１ｃとリアＵ字状開口部３０１ｃと合わされて、デジタルカメラの外装の左側面に略長方形状の開口が形成される。
【００２３】
バッテリーユニット２００は、樹脂ケース２０１の側壁２０１ｉと樹脂ドア２０３とで外装面を構成する。そして、バッテリーユニット２００の外装面は、フロントユニット１００とリアユニット３００で構成される略長方形状の開口に嵌められる。即ち、樹脂ケース２０１の側壁２０１ｉと樹脂ドア２０３で構成する外装面は、フロントケース１０１のフロントＵ字状開口部１０１ｃとリアケース３０１のリアＵ字状開口部３０１ｃに挟まれる。
【００２４】
図６は、デジタルカメラの左側面図である。フロントＵ字状開口部１０１ｃとリアＵ字状開口部３０１ｃとが合わされて形成された略長方形状の開口に、樹脂ケース２０１の側壁２０１ｉと樹脂ドア２０３とで構成される外装面が位置する。
【００２５】
樹脂ケース２０１は、図４及び図５に示すように、端子口２０１ｇ、２０１ｈを収納するスペースを備え、そのスペースに樹脂ドア２０３が取り付けられる。樹脂ドア２０３は、金属シャフト２０４、バネ２０５、開閉用樹脂カム２０６、とで取り付けられる。金属シャフト２０４は、例えば、ステンレスで実現できる。樹脂ドア２０３は、樹脂ケース２０１に対して、開閉可能である。
【００２６】
フレキアンテナ２０２は、樹脂ケース２０１の側壁２０１ｉの内面側にあるアンテナスペース２０１ｓに配置される。アンテナスペース２０１ｓは、樹脂ドア２０３が配置されるスペースとは異なる樹脂ケース２０１に形成された領域であり、側壁２０１ｉの内面側に位置する。
【００２７】
図６では、フレキアンテナ２０２の位置を理解し易くするため、外観から見えないフレキアンテナ２０２の位置を破線で示している。フレキアンテナ２０２は、アンテナ上端部２０２ｄ、アンテナ前端部２０２ｅ、アンテナ後端部２０２ｆを有する。
【００２８】
［１−３．フレキアンテナの配置と通信性能］
上述した通り、フレキアンテナ２０２が配置される樹脂ケース２０１は、金属材料で構成されるフロントケース１０１及びリアケース３０１に挟まれて配置される。そのため、配置によっては、フレキアンテナ２０２の通信性能を十分に確保できない場合がある。また、デジタルカメラの外観を考慮すると、フレキアンテナ２０２を使用者が外観から視認できる位置に配置するのは好ましくない。そこで、外観を考慮しつつ、通信性能を確保するためのフレキアンテナ２０２配置について説明する。
【００２９】
図７は、デジタルカメラの縦方向の断面図であり、図８は、図７に示すＡ部の拡大図である。図８に示すように、樹脂ケース２０１の側壁２０１ｉの内側には、アンテナ設置平面２０１ｘが形成され、アンテナ設置平面２０１ｘにフレキアンテナ２０２が貼り付けられるなどして保持される。本実施の形態では、アンテナ設置平面２０１ｘにフレキアンテナ２０２が貼り付けられて保持される。そして、フレキアンテナ２０２が貼り付けられるアンテナ設置平面２０１ｘは、金属シャフト２０４を保持する軸受２０１ｂよりも左側面方向の外側に形成されている。また、アンテナ設置平面２０１ｘは、金属材料で形成構成されるフロントケース１０１のリブ１０１ａよりも左側面方向の外側に形成されている。これは、フレキアンテナ２０２への通信電波が金属シャフト２０４やリブ１０１ａによって妨害されることを低減するためである。
【００３０】
また、アンテナ設置平面２０１ｘは、金属シャフト２０４を保持する軸受２０１ｂよりも左側面方向の外側に形成されているので、修理等で金属シャフト２０４を外す場合に、アンテナ設置平面２０１ｘと干渉することなく金属シャフト２０４を容易に外すことができる。即ち、金属シャフト２０４は、リブ１０１ａによる抜け止めを解除した後、軸受２０１ａ、２０１ｂの間を通過し、抜き孔２０１ｆを通過して、樹脂ケース２０１及び樹脂ドア２０３から外される。
【００３１】
フレキアンテナ２０２は、アンテナ設置平面２０１ｘに貼り付けられて保持される。また、樹脂ケース２０１の側壁２０１ｉの上部には、金属材料で形成されるフロントケース１０１が位置している。ここで、フレキアンテナ２０２のアンテナ上端部２０２ｄと、フロントケース１０１のフロント左側面上端部１０１ｄとを結ぶ面（図８の示す二点鎖線ＰＡ）を境に、矢印で示す側において、通信電波遮蔽の領域が形成される。これは、フレキアンテナ２０２の通信電波が、通信電波遮蔽の領域において、金属で形成されたフロントケース１０１に遮断されるためである。ここで、フレキアンテナ２０２を、フロントケース１０１の左側面外面に極力近づけることで、通信電波遮蔽の領域を狭く形成することができ、十分な通信可能領域を確保することができる。なお、上述のよう、図８では樹脂ケース２０１とフロントケース１０１との関係が示されているが、樹脂ケース２０１の側壁２０１ｉの上部には、図３及び図６に示すように、金属材料で形成されるリアケース３０１も位置する。そして、フレキアンテナ２０２のアンテナ上端部２０２ｄとリアケース３０１のリア左側面上端部３０１ｄとの関係で形成される通信電波遮蔽の領域についても、上述したフロント左側面上端部１０１ｄの場合と同様のことが言える。
【００３２】
次に、フレキアンテナ２０２の水平方向の配置ついて説明する。図９は、デジタルカメラの部分背面図であり、図１０は、図９の１０−１０断面図である。なお、図９では、フレキアンテナ２０２の位置を理解し易くするため、外観から見えないフレキアンテナ２０２の位置を破線で示している。
【００３３】
図１０に示すように、樹脂ケース２０１は、側壁２０１ｉの内面側に、フロントケース１０１側からリアケース３０１側に向かって、順にアンテナ設置平面２０１ｘ、アンテナ設置曲面２０１ｙを形成している。そして、フレキアンテナ２０２は、アンテナ設置平面２０１ｘ及びアンテナ設置曲面２０１ｙに貼り付けられる。アンテナ設置平面２０１ｘは、フレキアンテナ２０２を両面テープで貼り付ける際、貼り付け作業を容易にし、貼り付け強度を確保するため、平面で構成される。また、アンテナ設置曲面２０１ｙは、フレキアンテナ２０２をコネクタ５０１に向けてガイドするため、曲面で構成される。
【００３４】
フレキアンテナ２０２は、アンテナ設置平面２０１ｘ及びアンテナ設置曲面２０１ｙに貼り付けられて保持される。また、樹脂ケース２０１の側壁２０１ｉの前方には、金属材料で形成されるフロントケース１０１が位置している。さらに、樹脂ケース２０１の側壁２０１ｉの後方には、金属材料で形成されるリアケース３０１が位置している。ここで、フレキアンテナ２０２のアンテナ前端部２０２ｅと、フロントケース１０１のフロント左側面前端部１０１ｅとを結ぶ面（図１０に示す二点鎖線ＰＢ）を境に、矢印で示す側において、通信電波遮蔽の領域が形成される。これは、フレキアンテナ２０２の通信電波が、通信電波遮蔽の領域において、金属で形成されたフロントケース１０１に遮断されるためである。さらに、フレキアンテナ２０２のアンテナ後端部２０２ｆと、リアケース３０１のリア左側面後端部３０１ｆとを結ぶ面（図１０に示す二点鎖線ＰＣ）を境に、矢印で示す側において、通信電波遮蔽の領域が形成される。これは、フレキアンテナ２０２の通信電波が、通信電波遮蔽の領域において、金属で形成されたリアケース３０１に遮断されるためである。ここで、フレキアンテナ２０２を、フロントケース１０１及びリアケース３０１の左側面外面に極力近づけることで、通信電波遮蔽の領域を狭く形成することができ、十分な通信可能領域を確保することができる。
【００３５】
上記の例において、アンテナ後端部２０２ｆとリア左側面後端部３０１ｆとを結ぶ面を境に通信電波遮蔽の領域が形成されるが、これは一例である。フレキアンテナ２０２の送受信強度によっては、通信電波遮蔽の領域の電波であっても、アンテナ設置曲面２０１ｙにおいて送受信することが可能である場合がある。
【００３６】
また、アンテナ設置平面２０１ｘは、図８及び図１０に示すように、金属シャフト２０４の抜け止めを行うリブ１０１ａよりも、外側に配置されている。これにより、フレキアンテナ２０２への通信電波のリブ１０１ａによる妨害を低減することができる。また、リブ１０１ａは、フレキアンテナ２０２の内側に配置される。そのため、もしフレキアンテナ２０２がアンテナ設置平面２０１ｘから剥がれたとしても、フレキアンテナ２０２を外側に規制でき、フレキアンテナ２０２の性能確保が可能になる。
【００３７】
（実施の形態２）
実施の形態２は、更なる通信性能の向上に着目した例である。図１１は、実施の形態２におけるデジタルカメラの斜視図である。
【００３８】
図１１に示すように、フレキアンテナ９０２は、樹脂ドア９０３の内面に配置される。この場合も、フレキアンテナ９０２は、樹脂ドア９０３の回動軸となる金属シャフトやその抜け止め用のリブの外側に配置されるので、通信性能を確保しやすくなる。また、通信環境が悪い場合であっても、使用者が樹脂ドア９０３を開けることにより、更に、通信性能を確保しやすくなる。この場合、フレキアンテナ９０２は、樹脂ケース９０１の収納スペースに空けられた接続孔９０１ｆを通ってコネクタ５０１と接続される。なお、フレキアンテナ９０２は、樹脂ドア９０３にインサート成型して構成されてもよい。
【００３９】
（他の実施の形態）
以上のように、本出願において開示する技術の例示として、実施の形態を説明した。そのために、添付図面及び詳細な説明を提供した。しかしながら、本開示における技術は、これに限定されず、適宜、変更、置き換え、付加、省略などを行った実施の形態にも適用可能である。
【００４０】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４１】
また、上述の実施の形態は、本開示における技術を例示するためのものであるから、特許請求の範囲またはその均等の範囲において種々の変更、置き換え、付加、省略などを行うことができる。
【産業上の利用可能性】
【００４２】
本開示は、アンテナを備える通信装置に適用可能である。具体的には、デジタルカメラ、スマートフォン、ビデオカメラなどに、本開示は適用可能である。
【符号の説明】
【００４３】
１００    フロントユニット
１０１    フロントケース
１０１ａ    リブ
１０１ｃ    フロントＵ字状開口部
１０１ｄ    フロント左側面上端部
１０１ｅ    フロント左側面前端部
１０１ｇ    フロント左側面下端部
１０１ｒ    フロント曲面
２００    バッテリーユニット
２０１、９０１    樹脂ケース
２０１ａ、２０１ｂ    軸受
２０１ｆ    抜き孔
２０１ｇ、２０１ｈ    端子口
２０１ｉ    側壁
２０１ｓ    アンテナスペース
２０１ｘ    アンテナ設置平面
２０１ｙ    アンテナ設置曲面
２０２、９０２    フレキアンテナ
２０２ｄ    アンテナ上端部
２０２ｅ    アンテナ前端部
２０２ｆ    アンテナ後端部
２０３、９０３    樹脂ドア
２０４    金属シャフト
２０５    バネ
２０６    開閉用樹脂カム
３００    リアユニット
３０１    リアケース
３０１ｃ    リアＵ字状開口部
３０１ｄ    リア左側面上端部
３０１ｆ    リア左側面後端部
３０１ｇ    リア左側面下端部
３０１ｒ    リア曲面
４００    トップユニット
４０１    トップケース
５０１    コネクタ
９０１ｆ    接続孔
【図１】
2015100102.tif 000003
【図２】
2015100102.tif 000004
【図３】
2015100102.tif 000005
【図４】
2015100102.tif 000006
【図５】
2015100102.tif 000007
【図６】
2015100102.tif 000008
【図７】
2015100102.tif 000009
【図８】
2015100102.tif 000010
【図９】
2015100102.tif 000011
【図１０】
2015100102.tif 000012
【図１１】
2015100102.tif 000013